(57)【要約】【課題】陳列室の前面開口部の下端部に沿って設けられる吸込み口に、冷気を流通するとともに、落下した小物等を確実に受けて取出しを容易にでき、塵埃を濾過するオープンショーケースを提供する。【解決手段】内部に商品を陳列する陳列室を有するショーケース本体と、陳列室の前面に開口され商品を出し入れ自在とする前面開口部と、前面開口部の下端部に設けられ陳列室内の冷気を吸込む吸込み口と、ショーケース本体内に配置される送風機と、吸込み口に挿脱自在に取付けられる吸込みグリル体と、吸込みグリル体に取付けられるエアフィルタとを具備し、吸込みグリル体は、冷気が流通する通気孔を有する吸込み口カバー部と、通気孔を通り抜けてショーケース本体の内部に落下した落下物を受け止める受け皿部および、吸込み口カバー部を通り抜けた塵埃を捕捉するようエアフィルタを着脱自在に取付け可能としたフィルタ装着部を一体に備えた。【選択図】    図１
2017131369.tif 000002
【特許請求の範囲】
【請求項１】
内部に商品を陳列する陳列室を有するショーケース本体と、
前記陳列室の前面に開口され、商品を出し入れ自在とする前面開口部と、
前記前面開口部の下端部に設けられ、前記陳列室内の冷気を吸込む吸込み口と、
前記ショーケース本体内に配置される送風機と、
前記吸込み口に挿脱自在に取付けられる吸込みグリル体と、
前記吸込みグリル体に取付けられるエアフィルタと、を具備し、
前記吸込みグリル体は、冷気が流通する通気孔を有する吸込み口カバー部と、前記通気孔を通り抜けて前記ショーケース本体の内部に落下した落下物を受け止める受け皿部および、前記吸込み口カバー部を通り抜けた塵埃を捕捉するよう前記エアフィルタを着脱自在に取付け可能としたフィルタ装着部を一体に備えた
ことを特徴とするオープンショーケース。
【請求項２】
前記吸込みグリル体は、前記吸込み口カバー部の前端から下方へ延出する前面部と、前記前面部の下端から後方へ延出した前記受皿部を有し、
前記フィルタ装着部は、少なくとも前記受け皿部の後端部に一体に設けられた下端支持部を有しており、
前記下端支持部は、上方へ突出する複数の突出部を有する
ことを特徴とする請求項１に記載のオープンショーケース。
【発明の詳細な説明】
【技術分野】
【０００１】
本発明の実施形態は、前面開口部を有するオープンショーケースに関する。
【背景技術】
【０００２】
商品を冷蔵し、かつ販売するための陳列室を備えるだけでなく、特に近時は、商品を購買者が容易に取出しできるようにするために、陳列室の前面に扉が存在せず、常に開口状態にある前面開口部を有したオープンショーケースが多用される傾向にある。
【０００３】
前面開口部の上端部に沿って吹出し口が設けられる一方で、前面開口部の下端部に沿って吸込み口が設けられる。ショーケース本体内には、送風機を備えた通風路が形成されるとともに、通風路には冷凍サイクル構成機器である冷却器（蒸発器）が配置される。
【０００４】
吸込み口から吸込まれた空気は、通風路に沿って強制循環され、途中、冷却器を通過して冷却される。冷却された空気（冷気）は、通風路に沿って導かれ吹出し口から吹出される。冷気は前面開口部に沿って流れて吸込み口に吸込まれ、前面開口部に冷気のエアカーテンが形成される。
【０００５】
ところで、購買者が陳列室から商品を取出しする際、あるいは販売者が商品を陳列室に陳列する際に、商品、もしくは商品の屑、もしくは他の小物を落下させることがある。これら落下物が吸込み口に落下した場合、落下物は冷気と一緒に吸込み口に吸込まれてしまう。
【０００６】
吸込み口に落下した落下物は、冷気の通風路に沿って流れ、冷却器に引っ掛かって通風抵抗となる。あるいは、冷却器の熱交換作用によって生成されるドレンをショーケース本体外部へ排出するための排水路を詰まらせる。そこで、吸込み口に多数の通気孔（小孔）を有する吸込み口グリルを取付けた先行技術が提案されている。
【先行技術文献】
【特許文献】
【０００７】
【特許文献１】特開２０００−２９７９７９号公報
【発明の概要】
【発明が解決しようとする課題】
【０００８】
しかしながら、吸込み口グリルへの落下物が通気孔の開口面積よりも大きなものであれば良いが、開口面積よりも小さな落下物もしくは塵埃等は通気孔を通過してショーケース本体の内底部に到達する。長期の使用に亘れば、ショーケース本体内部に堆積した落下物もしくは塵埃が通風抵抗となり、あるいは排水路を詰まらせることには変わりがない。
【０００９】
ショーケース本体内底部に存在する落下物等を取出すには、吸込み口グリルを取外して、吸込み口から行わねばならない。吸込み口自体の開口面積は、陳列室の幅方向に沿って長く形成されるが、陳列室の奥行き方向に沿って極く短いので、ここから落下物等を取出すには極めて面倒な作業であり、完全に取出すには不可能であるとも言える。
【００１０】
そこで本実施形態は、陳列室の前面開口部の下端部に沿って設けられる吸込み口に、冷気を流通するとともに、落下した小物等を確実に受けて取出しを容易にでき、しかも塵埃を濾過するオープンショーケースを提供しようとするものである。
【課題を解決するための手段】
【００１１】
本実施形態のオープンショーケースは、内部に商品を陳列する陳列室を有するショーケース本体と、陳列室の前面に開口され商品を出し入れ自在とする前面開口部と、前面開口部の下端部に設けられ陳列室内の冷気を吸込む吸込み口と、ショーケース本体内に配置される送風機と、吸込み口に挿脱自在に取付けられる吸込みグリル体と、吸込みグリル体に取付けられるエアフィルタとを具備し、  
吸込みグリル体は、冷気が流通する通気孔を有する吸込み口カバー部と、通気孔を通り抜けてショーケース本体の内部に落下した落下物を受け止める受け皿部および、吸込み口カバー部を通り抜けた塵埃を捕捉するようエアフィルタを着脱自在に取付け可能としたフィルタ装着部を一体に備えた。
【図面の簡単な説明】
【００１２】
【図１】第１の実施形態に係る、オープンショーケースの一部縦断面図。
【図２】同実施形態に係る、吸込みグリル体とエアフィルタの一部分解斜視図と、吸込みグリル体にエアフィルタを取付けた状態の一部斜視図。
【図３】同実施形態に係る、吸込みグリル体とエアフィルタを分解したオープンショーケースの斜視図と、吸込みグリル体とエアフィルタを組み込んだオープンショーケースの一部斜視図。
【図４】第２の実施形態に係る、吸込みグリル体の斜視図と、吸込みグリル体にエアフィルタを取付けた状態の側面図。
【発明を実施するための形態】
【００１３】
（第１の実施形態）  
以下、第１の実施の形態について、図面を参照して説明する。なお、符号を付していない構成部品については図示していない。
【００１４】
図１に示すように、オープンショーケースは、ショーケース本体１が薄い鉄板で箱状に形成される基台２を一体に有する。ショーケース本体１は、正面視および平面視で略矩形状をなし、それぞれ断熱板からなる天板１ａと、底面板１ｂと、背面板１ｃ、および断熱板と一部が断熱ガラス板で形成される左右両側面板１ｄとから構成される。
【００１５】
基台２の内部は熱交換室５となっていて、後述する冷凍サイクルの一部を構成する冷却器（蒸発器）１１と図示しない弁および配管類等が収容されており、店舗外部に設置される冷凍機に接続されることで冷凍サイクルを構成する。  
ショーケース本体１内部は、上部に商品を陳列する陳列室４が設けられ、下部に熱交換室５が設けられる。
【００１６】
天板１ａの正面視は上下方向に薄く、左右幅方向に所定長さの矩形状をなし、天板１ａの下面は、空間を介して陳列室４の天井となる天井壁４ａが設けられる。陳列室４の底面となる底面壁４ｂは、熱交換室５の天井壁を形成している。
【００１７】
陳列室４の正面視は上下方向に長く、左右幅方向に所定長さの矩形状をなす。また、天板１ａの側面視は、ショーケース本体背面板１ｃから所定長さだけ突出する矩形状をなす。熱交換室５の側面視は、背面板１ｃから天板１ａの突出量よりもわずかに長い所定長さだけ突出する矩形状をなす。
【００１８】
陳列室４の奥側の壁を形成している背面壁４ｃは、ショーケース本体背面板１ｃから前方へ所定寸法を有して形成されていて、上端部から下端部にかけて前方へ向かって僅かに傾斜している。
【００１９】
ショーケース本体１の左右両側面板１ｄは、それぞれ略コ字状の断熱板およびコ字状部分に嵌め込まれる断熱ガラス板によって覆われている。したがって、陳列室４は、天井壁４ａ、底面壁４ｂ、背面壁４ｃおよび左右両側面板１ｄによって前面を除く各面が閉塞され、前面のみが開放された前面開口部Ｔとなる。
【００２０】
陳列室４の背面壁４ｃは、天井壁４ａから底面壁４ｂに亘って漸次前方へ突出するよう傾斜している。この背面壁４ｃには、複数段の棚ｇが上下方向に所定の間隔を存して設けられる。
【００２１】
それぞれの棚ｇは、後端部を背面壁４ｃに支持され、前方へ突出していて、これら棚ｇ上には販売される飲料等の商品が載置陳列される。棚ｇは取外し可能であり、背面壁４ｃに設けられた差し込み孔に引っ掛け固定することで、棚ｇ間の上下方向の間隔を調整可能になっている。  
陳列室４の背面壁４ｃには、各棚ｇ上の陳列した商品に対する冷却手段として、図示しない複数の冷却用吹出し口が設けられる。
【００２２】
天板１ａの下面、すなわち陳列室天井壁４ａの前端部に沿って、ショーケース本体１外部から陳列室４への外部空気の侵入を阻止するとともに、陳列室４の冷却を行う冷風を吹出すためのエアカーテン吹出し口６が設けられる。
【００２３】
天板１ａと陳列室天井壁４ａとの間の空間には、エアカーテン吹出し口６に冷風を案内するためのエアカーテン用ダクト７が形成される。このエアカーテン用ダクト７の基端部は、後述する送風ダクト８に連通する。
【００２４】
一方、陳列室４の底面壁４ｂの前端部に沿って、陳列室背面壁４ｃに設けられる冷却用吹出し口から吹出される冷風と、陳列室天井壁４ａに設けられるエアカーテン吹出し口６から吹出されるエアカーテン冷風とを吸込むための吸込み口９が設けられている。
【００２５】
エアカーテン吹出し口６と吸込み口９をつなぐ直線上には障害物がない。このため、エアカーテン吹出し口６から吹出されたエアカーテン冷風は、棚ｇに邪魔されることなく吸込み口９に円滑に吸込まれるようになっている。この結果、エアカーテン冷風を安定して形成することができる。
【００２６】
上述した吸込み口９は、前面開口部Ｔと、陳列室４の底面壁４ｂの下に設けられる熱交換室５とを連通する。熱交換室５には送風機１０および冷却器（蒸発器）１１が配置される。冷却器１１と図示しない膨張弁は、冷媒管を介してオープンショーケース外部に配置された冷凍機の圧縮機、凝縮器に連結され、これらで冷凍サイクルが構成される。
【００２７】
陳列室背面壁４ｃのさらに背面側は、空間を空けて上述したショーケース本体背面板１ｃが形成される。陳列室背面壁４ｃとショーケース本体背面板１ｃとの間の空間部には上述した送風ダクト８が形成され、天板１ａと陳列室天井壁４ａとの間の空洞であるエアカーテン用ダクト７に連通する。これら送風ダクト８とエアカーテン用ダクト７とで、冷気循環用ダクトＤが構成される。
【００２８】
前記吸込み口９には吸込みグリル体Ｓが取付けられていて、この吸込みグリル体ＳにはエアフィルタＦが着脱自在に装着される。なお、吸込みグリル体ＳおよびエアフィルタＦについては後述する。
【００２９】
熱交換室５の底部には、冷凍サイクル作用にともなって冷却器１１で生成されるドレン水を溜める排水路１２が設けられる。この排水路１２は外部から着脱操作可能な排水栓によって閉塞されている。
【００３０】
このようにして構成されるオープンショーケースであり、送風機１０を駆動することにより、吸込み口９周辺の空気が矢印で示すように、吸込み口９に取付けられる吸込みグリル体Ｓを通過し、エアフィルタＦで塵埃が濾過されて熱交換室５に吸込まれる。さらに、冷却器１１に吹付けられて冷気が生成され、冷気循環用ダクトＤを構成する送風ダクト８に導かれる。
【００３１】
冷気の一部は、送風ダクト８に導かれている途中で、陳列室４の背面壁４ｃに設けられる複数の冷却用吹出し口から吹出され、各棚ｇ上に陳列した商品を冷却する。残りの冷気は送風ダクト８からエアカーテン用ダクト７に導かれて、エアカーテン吹出し口６から吹出される。
【００３２】
エアカーテン吹出し口６から吹出された冷気は、陳列室４の前面開口部Ｔに沿って流通し、冷気のエアカーテンを形成する。そして、冷気は吸込み口９に導かれ、吸込みグリル体ＳおよびエアフィルタＦを介して熱交換室５に案内され、前記送風機１０によって上述の系路を循環する。
【００３３】
このオープンショーケースにおいては、陳列室４に冷蔵保存する商品を展示販売するにあたって、陳列室４の前面開口部Ｔから購買者が自由に商品を取出すことができる。ただし、購買者の商品の取出し時もしくは販売者による商品の組込み時に、商品もしくは商品に付随するゴミ等を前面開口部Ｔで落としてしまうことがある。
【００３４】
また、送風機１０を駆動してエアカーテン吹出し口６から吹出された冷気を吸込み口９に吸込む際、同時に吸込み口９周辺の外気も吸込む。外気には、当然、塵埃が含まれているので、塵埃も吸込んでしまう。長期の使用に亘れば、吸込んだ塵埃が熱交換室５に堆積して排水路１２を詰まらせる虞れがある。
【００３５】
しかしながら、このオープンショーケースにおいては、吸込み口９から内部に侵入しようとする落下物を以下に詳述する吸込みグリル体Ｓで取得でき、および吸込み口９から内部に侵入しようとする塵埃は吸込みグリル体Ｓに取付けたエアフィルタＦで捕捉できる。
【００３６】
特に図２（Ａ），（Ｂ）および図３（Ａ），（Ｂ）で示すように、吸込みグリル体Ｓは金属製板材を断面略Ｃ字状に折曲げ加工して得られるものである。  
具体的には、前面部ａは垂直な板面が形成され、上面部ｂは斜め傾斜面および水平面があり、この後端部に下方へ略垂直に折り曲げられた板面である背面部ｃの上端に垂直な板面が連なる。
【００３７】
前面部ａ下端から折り曲げられる下面部ｄは水平に形成され、この後端部に上方へ折り曲げられた板面である背面部ｃの下端にて垂直な板面に連なる。背面部ｃの上端と下端の板面相互間には板面が存在せず離間しており、空間部となっている。
【００３８】
吸込みグリル体Ｓの上面部ｂには、傾斜面および水平面の幅方向に短く、奥行方向に長い長孔状で、吸込みグリル体の左右幅方向に所定の間隔を有して多数の通気孔１５が設けられる。ここでは、通気孔１５が設けられる吸込みグリル体Ｓの上面部ｂを、「吸込み口カバー部」１６と呼ぶ。
【００３９】
吸込み口カバー部１６と位置的に対向する吸込みグリル体Ｓの下面部ｄと、前面部ａおよび背面部ｃ下端は平板状の板面として形成されている。これら下面部ｄと前面部ａおよび背面部ｃ下端で形成される部位を、「受け皿部」１７と呼ぶ。
【００４０】
さらに、背面部ｃ下端と所定間隔を有して略Ｌ字状の板体が一体に付設されていて、背面部ｃ下端と略Ｌ字状板体との組合せを、「フィルタ装着部」１８と呼ぶ。フィルタ装着部１８を構成する略Ｌ字状板体は、吸込みグリル体Ｓの幅方向に複数設けられている。
【００４１】
吸込みグリル体Ｓの受け皿部１７とフィルタ装着部１８とを合わせた奥行寸法は、吸込み口９の奥行寸法と略一致し、吸込みグリル体Ｓの左右幅方向寸法は吸込み口９の左右幅方向寸法と一致する。
【００４２】
エアフィルタＦは、矩形状の枠体１９と、この枠体１９内部に張設され塵埃を捕捉できる網目を有するフィルタ部２０と、図２（Ｂ）に示す枠体１９の上端部に突設される把手部２１とからなる。枠体１９の左右幅寸法は吸込みグリル体Ｓの左右幅寸法と一致し、板厚は吸込みグリル体Ｓのフィルタ装着部１８に挿脱自在な寸法に設定されている。
【００４３】
以上のように構成される吸込みグリル体ＳとエアフィルタＦであり、使用にあたっては、図３（Ａ），（Ｂ）に示すように、エアフィルタＦを吸込みグリル体Ｓに装着する。  
具体的には、エアフィルタＦの枠体１９下端部を吸込みグリル体Ｓのフィルタ装着部１８に挿入する。吸込みグリル体Ｓの背面部ｃを形成する下端と上端相互間の空間部は、エアフィルタＦのフィルタ部２０と枠体１９の左右両側部分によって閉塞される。
【００４４】
吸込みグリル体ＳにエアフィルタＦが一体に組み込まれたものを、図１および図３（Ｂ）に示すように、吸込み口９に挿入する。吸込み口９周辺には、挿入された吸込みグリル体Ｓを支持する支持具が設けられていて、吸込み口９は吸込みグリル体ＳおよびエアフィルタＦによって完全に塞がれる。
【００４５】
実際には、吸込み口９に吸込みグリル体Ｓの上面部ｂである吸込み口カバー部１６のみが露出し、ここには多数の通気孔１５が設けられているので、吸込み口９には通気孔１５が開口することになる。
【００４６】
エアカーテン吹出し口６から吹出され、前面開口部Ｔでエアカーテンを形成した冷気は吸込み口９に導かれる。吸込み口９には吸込みグリル体Ｓが嵌め込まれていて、吸込み口カバー部１６が露出する。冷気は、吸込み口カバー部１６に設けられる多数の通気孔１５に吸込まれ、さらに吸込みグリル体Ｓ内部の背面部ｃ上端と下端との間を通る。
【００４７】
ここには、エアフィルタＦが取付けられていて、冷気に含まれる塵埃および、外気とともに吸込み口９周辺に浮遊していて吸込みグリル体Ｓ内部に吸込まれた塵埃等の全てをフィルタ部２０が捕捉する。エアフィルタＦを通過した清浄な冷気のみが熱交換室５に導かれ、上述した系路を循環する。
【００４８】
したがって、長期の使用に亘っても、塵埃が熱交換室５底部に堆積する虞れがなく、ここに設けられる排水路１２を詰まらせることもない。エアフィルタＦのフィルタ部２０に捕捉され蓄積する塵埃は、メンテナンス時にエアフィルタＦを吸込みグリル体Ｓととともに吸込み口９から抜き取り、フィルタ部２０を掃除することで除去できる。
【００４９】
また、吸込みグリル体Ｓは、吸込み口カバー部１６から受け皿部１７にかけて、板金の折り曲げ加工のように一体に形成されているため、吸込み口カバー部１６と前面部との隙間が無く、隙間への余分な気流の流れを低減できると共に、余分な隙間に塵埃が詰まることがない。  
これにより、通常の動作中において良好なエアカーテンを形成することができるとともに、清掃時の作業を容易に行うことができる。
【００５０】
なお、購買者の商品の取出し時もしくは販売者による商品の組込み時に、商品もしくは商品に付随するゴミ等を前面開口部Ｔで落としてしまうことがある。吸込み口９には吸込みグリル体Ｓの吸込み口カバー部１６が露出し、多数の通気孔１５が設けられているので、個々の通気孔１５の開口面積よりも大きな落下物はここで受け止められる。
【００５１】
通気孔１５をすり抜けた小さな落下物は、吸込みグリル体Ｓ内部に落ちて、吸込み口カバー部１６の直下部に設けられる受け皿部１７に受け止められる。その落下物が、たとえ受け皿部１７で跳ね上がり、背面部ｃの上端と下端との間の空間部分から出ようとしてもエアフィルタＦが存在しているので、全ての落下物は受け皿部１７に留め置かれる。
【００５２】
通気孔１５を通過して吸込みグリル体Ｓ内部に落下した落下物を認めた場合、あるいはメンテナンスの際には、吸込み口９からエアフィルタＦとともに吸込みグリル体Ｓを抜き出す。そのまま、吸込みグリル体Ｓを幅方向の一方に傾ければ、吸込みグリル体Ｓの両側部は開口しているので、受け止められた落下物はここから滑り落ち容易に取得できる。
【００５３】
このようにして、吸込みグリル体Ｓに、吸込み口カバー部１６と受け皿部１７とを一体に備えたから、たとえば吸込み口カバーと受け皿とを別個に備えたものよりも構造が簡素化し、コスト的に有利となるとともに、受け皿に落下した小物をこぼれ落とすことなく、容易に取得できる。
【００５４】
さらに、吸込みグリル体Ｓに、エアフィルタＦを取付けたフィルタ装着部１８を備えたから、吸込み口９からショーケース本体１内部に流通しようとする塵埃を確実に捕捉でき、長期の使用に亘っても排水路１２の詰り事故を未然に防止できる。
【００５５】
（第２の実施形態）  
第２の実施形態のオープンショーケースは、第１の実施形態のオープンショーケースと略同一の構成を有しており、同一の部分については詳細な説明を省略する。以下では異なる構成である吸込みグリル体Ｓａの形状について詳細を説明する。
【００５６】
図４（Ａ），（Ｂ）で拡大して示すように、吸込みグリル体Ｓａは金属製板材を断面略Ｃ字状に折曲げ加工して得られるものである。  
前面部ａは垂直な板面が形成され、上面部ｂは斜め傾斜面および水平面があり、この後端部に下方へ略垂直に折り曲げられた板面である背面上端部ｃが連なる。前面部ａ下端から折り曲げられる下面部ｄは水平に形成され、この後端部に上方へ折り曲げられた板面である背面下端部ｅが連なる。  
背面上端部ｃと背面下端部ｅの板面相互間は離間しており、空間部となっている。また、背面上端部ｃは側面視で背面下端部ｅよりも前方に位置している。
【００５７】
吸込みグリル体Ｓａの上面部ｂには、傾斜面および水平面の幅方向に短く、奥行方向に長い長孔状で、吸込みグリル体の左右幅方向に所定の間隔を有して多数の通気孔１５が設けられる。ここでは、通気孔１５が設けられる吸込みグリル体Ｓａの上面部ｂを、「吸込み口カバー部」１６と呼ぶ。
【００５８】
吸込み口カバー部１６と位置的に対向する吸込みグリル体Ｓａの下面部ｄと、前面部ａおよび背面上端部ｃ、背面下端部ｅは平板状の板面として形成されている。これら下面部ｄと前面部ａおよび背面下端部ｅで形成される部位を、「受け皿部」１７と呼ぶ。
【００５９】
さらに、背面下端部ｅに所定間隔を有して略Ｌ字状に折り曲げ加工された複数の略Ｌ字状板体１８ｃ，１８ｄがスポット溶接等で一体に付設されていて、背面下端部ｅと略Ｌ字状板体との組合せを、「フィルタ装着部」１８と呼ぶ。
【００６０】
フィルタ装着部１８を構成する略Ｌ字状板体１８ｃ，１８ｄは、吸込みグリル体Ｓａの幅方向に複数設けられている。また、略Ｌ字状板体１８ｃ，１８ｄは背面下端部ｅよりも高さ方向に突出した突出部を有する形状となっている。さらに、背面下端部ｅの前方側に配置される略Ｌ字状板体１８ｃと後方側に配置される略Ｌ字状板体１８ｄとが幅方向に沿って互い違いに配置されている。
【００６１】
吸込みグリル体Ｓａの受け皿部１７とフィルタ装着部１８とを合わせた奥行寸法は、吸込み口９の奥行寸法と略一致し、吸込みグリル体Ｓａの左右幅方向寸法は吸込み口９の左右幅方向寸法と一致する。  
また、フィルタ装着部１８は、エアフィルタＦの前方側を支持する前方立ち上り部１８ａと、エアフィルタＦの後方側を支持する背面下端部ｅと、背面下端部ｅの左右幅方向に所定間隔を有して配置され、上方へ延出する下端支持部１８ｂを有している。
【００６２】
エアフィルタＦは、第１の実施形態同様に、枠体１９の左右幅寸法は吸込みグリル体Ｓａの左右幅寸法と一致し、板厚は吸込みグリル体Ｓａのフィルタ装着部１８に挿脱自在な寸法に設定されている。エアフィルタＦを吸込みグリル体Ｓａに挿入すると、略Ｌ字状板体１８ｃ，１８ｄがガイドとして機能し、挿入作業を容易に行うことができる。また、挿入後も良好に保持される。  
上記のように構成された吸込みグリル体Ｓａを、第１の実施形態と同様に、ショーケース本体１の吸込み口９に装着することができる。
【００６３】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００６４】
１…ショーケース本体、４…陳列室、Ｔ…前面開口部、９…吸込み口、１０…送風機、Ｓ…吸込みグリル体、Ｆ…エアフィルタ、１６…吸込み口カバー部、１７…受け皿部、１８…フィルタ装着部。
【図１】
2017131369.tif 000003
【図２】
2017131369.tif 000004
【図３】
2017131369.tif 000005
【図４】
2017131369.tif 000006